(57)【要約】【課題】プロジェクタモジュールに屈曲光学系を採用した場合でも装置の大型化を抑制する。【解決手段】プロジェクタモジュール３０は、光を屈曲させる屈曲部３０Ａを含み、この屈曲部３０Ａから水平方向に突出する水平部３０Ｂと、屈曲部３０Ａから垂直方向に突出する垂直部３０Ｃとが一体化されて成る。水平部３０Ｂと垂直部３０Ｃ第１の部分との間の空間には、閃光発光用の電荷を蓄えるコンデンサ５２が配置されている。【選択図】図１
2008216536.tif 000002
【特許請求の範囲】
【請求項１】
画像データから投影用の光像を形成して外部に投影するプロジェクタモジュールを有するプロジェクタ装置において、
前記プロジェクタモジュールは、光を屈曲させる屈曲部を含み、この屈曲部から所定方向に突出する第１の部分と、屈曲部から第１の方向と交差する方向に突出する第２の部分とが一体化されて成り、
前記第１の部分と第２の部分との間の空間に他の構成部品を配置したことを特徴とするプロジェクタ装置。
【請求項２】
前記第２の部分は、前記第１の部分よりも前記屈曲部から突出量が大きくされ、前記第１の部分と第２の部分との間の空間に配置される構成部品は、その長手方向が前記第２の部分の突出方向と略平行となるように配置されることを特徴とする請求項１に記載のプロジェクタ装置。
【請求項３】
第１〜第３の構成部品を有し、前記プロジェクタモジュールの前記第１，第２の部分と、前記第１，第２の構成部品とで囲まれた空間に前記第３の構成部品を配置したことを特徴とする請求項１に記載のプロジェクタ装置。
【請求項４】
撮影光学系および撮像部を更に有し、前記撮像部にて撮像された画像データから前記投影用の光像を形成することを特徴とする請求項１〜３のいずれか１項に記載のプロジェクタ装置。
【請求項５】
閃光装置を更に備え、前記プロジェクタモジュールの前記第１の部分と第２の部分との間の空間に配置される構成部品は、閃光発光用の電荷を蓄えるコンデンサであることを特徴とする請求項４に記載のプロジェクタ装置。
【請求項６】
前記閃光装置の発光部は、前記プロジェクタモジュールの前記第１の部分との間に前記コンデンサを挟む位置に配置されることを特徴とする請求項３に記載のプロジェクタ装置。
【請求項７】
前記プロジェクタモジュールの前記第１の部分と第２の部分との間の空間に配置される構成部品は、電源電池を収容する電池室であることを特徴とする請求項１〜３のいずれか１項に記載のプロジェクタ装置。
【請求項８】
前記プロジェクタモジュールの前記第１の部分と第２の部分との間の空間に配置される構成部品は、画像データ記録用の記録媒体の装填部であることを特徴とする請求項１〜３のいずれか１項に記載のプロジェクタ装置。
【請求項９】
前記プロジェクタモジュールは、前記第１，第２の部分と前記屈曲部とで略Ｌ字状を呈することを特徴とする請求項１〜８のいずれか１項に記載のプロジェクタ装置。
【発明の詳細な説明】
【技術分野】
【０００１】
本発明は、プロジェクタモジュールを備えたプロジェクタ装置に関する。
【背景技術】
【０００２】
プロジェクタモジュールを内蔵したデジタルカメラが知られている（例えば、特許文献１参照）。
【０００３】
【特許文献１】特開2002-369050号公報
【発明の開示】
【発明が解決しようとする課題】
【０００４】
プロジェクタモジュールに屈曲光学系を採用すると、モジュール全体の形状が複雑化し、他の部品との位置関係を工夫しないと装置の大型化が余儀なくされる。
【課題を解決するための手段】
【０００５】
本発明は、画像データから投影用の光像を形成して外部に投影するプロジェクタモジュールを有するプロジェクタ装置に適用される。プロジェクタモジュールは、光を屈曲させる屈曲部を含み、この屈曲部から所定方向に突出する第１の部分と、屈曲部から第１の方向と交差する方向に突出する第２の部分とが一体化されて成り、第１の部分と第２の部分との間の空間に他の構成部品を配置する。
第２の部分の方が第１の部分よりも屈曲部からの突出量が大きくなるようにし、上記他の構成部品を、その長手方向が第２の部分の突出方向と略平行となるように配置してもよい。
プロジェクタモジュールの第１，第２の部分と、第１，第２の構成部品とで囲まれた空間に第３の構成部品を配置してもよい。
撮影光学系および撮像部を更に有し、撮像部にて撮像された画像データから投影用の光像を形成するものであってもよい。この場合、プロジェクタモジュールの第１の部分と第２の部分との間の空間に、閃光発光用の電荷を蓄えるコンデンサを配置してもよい。閃光装置の発光部は、プロジェクタモジュールの第１の部分との間にコンデンサを挟む位置に配置してもよい。
プロジェクタモジュールの第１の部分と第２の部分との間の空間に配置される構成部品は、電源電池を収容する電池室であってもよいし、画像データ記録用の記録媒体の装填部であもよい。
プロジェクタモジュールは、第１，第２の部分と屈曲部とで略Ｌ字状を呈するものであってもよい。
【発明の効果】
【０００６】
本発明によれば、プロジェクタモジュールに屈曲光学系を採用した場合でも装置の大型化を抑制できる。
【発明を実施するための最良の形態】
【０００７】
図１〜図３により本発明をプロジェクタ内蔵デジタルカメラに適用した場合の一実施形態を説明する。
図１は本実施形態におけるデジタルカメラの内部構造を正面から見た図、図２はそのII−II線断面図である。カメラ本体１００は、正面から見たときにほぼ矩形形状を呈し、その上面には複数の操作ボタン１が設けられている。カメラ本体１００の内部には、左側に電池室１０が、右側にカメラユニット２０がそれぞれ配置され、それらの間にプロジェクタモジュール３０が配置される。電池室１０には、例えばカメラ底面から電源電池が装填される。
【０００８】
カメラユニット２０は、屈曲式の撮影光学系２１、レンズバリア２２、撮像部２３などから構成される。撮影光学系２１は、複数のレンズや屈曲光学系であるミラー、光学式像振れ補正機構などを内蔵する。被写体からの光束は、カメラ本体正面に露出する対物レンズ２１ａに入射した後、ミラーで下方に折り曲げられ、レンズ群を透過した後、撮像部２３に入射する。２１ｂは光学式像振れ補正機構を内蔵する像振れ補正部である。
【０００９】
レンズバリア２２は、バリア駆動モータ２２ａ（図２）により軸Ｘを中心に回動可能とされ、対物レンズ２１ａの前面を覆う保護位置と、レンズ２１ａから退避する退避位置とを取り得る。不図示の制御回路は、電源スイッチのオンに応答してレンズバリア２２を保護位置から退避位置に駆動し、電源オフに応答して保護位置に駆動する。
【００１０】
撮像部２３には、撮像素子や光学フィルタなどが設けられる。撮影光学系２１を通過した光束は、カメラ底部付近において撮像素子に受光されて光電変換され、その光電変換出力に種々の処理が加えられて画像データが生成される。画像データは、カードスロット４０に装填されたメモリカードに記録される。
【００１１】
次に、プロジェクタモジュール３０について説明する。
図３の拡大図に示すように、プロジェクタモジュール３０は、高輝度ＬＥＤ等の光源３１と、集光レンズ３２と、偏光ビームスプリッタ（以下、ＰＢＳ）３３と、ＬＣＯＳ等の反射型液晶パネル３４と、投影レンズ３５と、ミラー３６と、これらを収容するケース３７とを有する。なお、透過型の液晶パネルを用いたものでもよい。
【００１２】
光源３１および集光レンズ３２は、ＰＢＳ３３が配置される箇所（屈曲部３０Ａ）から横方向に突出する水平部３０Ｂに配置され、投影レンズ３５およびミラー３６は、屈曲部３０Ａから鉛直方向に突出する垂直部３０Ｃに配置される。したがって、ケース３７はほぼＬ字状となる。本実施形態では、水平部３０Ｂが図１の左側に突出するようにプロジェクタモジュール３０を配置したので、熱源である光源３１を撮像部２３から極力遠ざけることができ、熱ノイズによる画像への影響を最小限に抑制できる。
【００１３】
なお、光源３１には放熱ブロック（金属ブロック）３８が密着しており、この放熱ブロック３８の一部を金属製のカメラ外カバーに密着させることで、光源３１の熱を効率よく外部に逃がすことができる。
【００１４】
以上のようなプロジェクタモジュール３０を用いて、メモリカードに記録された所望の画像データを外部に投影することができる。カメラの制御回路は、フレキシブルプリント基板３９を介して画像データを液晶パネル３４に送り、表示させる。この状態で光源３１を点灯すると、光源光は集光レンズ３２およびＰＢＳ３３を透過して反射型液晶パネル３４に入射し、その反射光像がＰＢＳ３３で上方に９０度屈曲され、投影レンズ３５およびミラー３６を介してカメラ正面に投影される。
【００１５】
プロジェクタモジュール３０の上方空間には、閃光装置の発光部５１が配置されている。発光部５１からの照明光は、カメラ本体前面に設けた照射窓から前方に照射される。  
【００１６】
とろこで、上述のようにプロジェクタモジュール３０をＬ字状にすると、水平部３０Ｂと垂直部３０Ｃとの間に三角形の隙間ができる。かかる隙間は一般にデッドスペースとなりがちであるが、本実施形態では、ここに閃光発光用の電荷を蓄えるコンデンサ５２を配置することで、空間の有効利用を図っている。
【００１７】
特に本実施形態のプロジェクタモジュール３０は、集光レンズ３２、ＰＢＳ３３、液晶パネル３４の各間隔を短くし、ＰＢＳ３３と投影レンズ３５との間隔を長くして光路長を稼ぐ構成のため、垂直部３０Ｃは水平部３０Ｂよりも長くなる。また、プロジェクタモジュール３０の左方には電池室１０の側壁１１が、上方には発光部５１がそれぞれ位置し、水平部３０Ｂ、垂直部３０Ｃ、発光部５１、電池室１０とで囲まれた縦長の矩形形状の空間が形成される。この空間に配置されるコンデンサ５２は、図示のようにその空間とほぼ同形状であるから、本カメラにおける空間利用効率は極めて高いといえ、カメラを最大限に小型化することが可能となる。さらに、上記構成によれば、発光部５１とコンデンサ５２とを近接配置できるので、両者の配線の引き回し等の点でも有利である。
【００１８】
また本実施形態では、プロジェクタモジュール３０の液晶パネル３４の部分が、垂直部３０Ｃよりも若干カメラユニット２０側に突出している。この突出部分と垂直部３０Ｂとの間にも隙間が形成されることになるが、この隙間にカメラユニット２０の像振れ補正部２１ｂの一部を入り込ませることで、更なる空間の有効利用を図っている。
【００１９】
なお、図において、５３はプロジェクタモジュール３０の下方に設けた三脚座、５４は外部機器を接続するための端子、５５は画像等を外部表示するための液晶モニタ、５６はカメラのメイン基板である。
【００２０】
以上では、垂直部３０Ｃと水平部３０Ｂとの隙間に配置する部材をコンデンサ５２としたが、これはコンデンサに限定されない。図４は電池室１０’の一部を上記の隙間に配置した例を示している。この他に、電子閃光装置の発光部、カードスロット、モータ等の一部または全部を上記隙間に配置してもよい。さらに、プロジェクタモジュールはＬ字状に限定されず、例えば図５のようなほぼＴ字状のプロジェクタモジュール３０’であってもよい。この場合も上記の隙間に何らかの部材６１，６２を配置することで装置全体の小型化が図れる。
【００２１】
また、以上はデジタルカメラにプロジェクタモジュールを設けた例を示したが、カメラ付き携帯電話機やその他の電子機器にプロジェクタモジュールを設けたもの、さらには撮影機能を持たないプロジェクタ内蔵機器にも本発明を適用できる。
【図面の簡単な説明】
【００２２】
【図１】一実施形態におけるプロジェクタ内蔵デジタルカメラの内部構造を正面から見た図。
【図２】図１のII−II線断面図。
【図３】図１の要部を拡大して示す図。
【図４】他の実施形態におけるプロジェクタ内蔵デジタルカメラの概略構成を示す図。
【図５】図１と異なる形状のプロジェクタモジュールを用いた例を示す図。
【符号の説明】
【００２３】
１０  電池室
２０  カメラユニット
２１  撮影光学系
２３  撮像部
３０プロジェクタモジュール
３０Ａ  屈曲部
３０Ｂ  水平部
３０Ｃ  垂直部
３１  光源
３３  偏光ビームスプリッタ
３４  反射型液晶パネル
３５  投影レンズ
４０  カードスロット
５１  発光部
５２  コンデンサ
１００  カメラ本体
【図１】
2008216536.tif 000003
【図２】
2008216536.tif 000004
【図３】
2008216536.tif 000005
【図４】
2008216536.tif 000006
【図５】
2008216536.tif 000007